【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
メッセージ内容成分と、当該メッセージ内容に関わる及び又は当該メッセージ内容を、インターネットを使用し且つインターネットを増強する多数の発信者及び受信者の端末間で転送することに関するメッセージデータ成分とを有する電子メールを転送するための通信システムであって、
電子郵便サーバー及び電子郵便サーバーソフトウェアと、
発信者及び受信者の各端末を電子郵便サーバー及び電子郵便サーバーソフトウェアに結び付けるリンクと、
発信者電子郵便ソフトウェアにして、
ｉ）発信者端末をインターネット及び発信者のリンクを介して電子郵便サーバーに選択的に接続するように、少なくとも発信者端末上で動作し、
ii）発信者端末上で動作する従来の電子メールアプリケーションソフトウェアと共に動作し、
iii）発信者端末から転送される電子メールに対して通信システムのプレミアムサービスが提供されるように該電子メールを管理及びプロセス処理するための、発信者端末及び発信者電子郵便ソフトウェアによる電子郵便サーバー及び電子郵便サーバーソフトウェアへのアクセスを選択的に提供し、
iv）電子メールに対するプレミアムサービスのプロセス処理を開始し、
ｖ）少なくとも部分的にはダイレクト通信を使用して、発信者端末、発信者電子郵便ソフトウェア、と、電子郵便サーバー及び電子郵便サーバーソフトウェアとの相互通信を容易化する発信者電子郵便ソフトウェアと、
を含む通信システム。
【請求項２】
受信者電子郵便ソフトウェアにして、
ｉ）少なくとも受信者端末上で動作し、
ii）受信者端末上で動作する従来の電子メールアプリケーションソフトウェアと共に動作して、
iii）発信者端末により転送され、電子郵便サーバー及び電子郵便サーバーソフトウェアにより管理され及びプロセス処理され、インターネット及び前記受信者のリンクを介して受信者端末により受信された電子メールを、該電子メールにプレミアムメールサービスが提供されるようにプロセス処理し、
iv）受信者端末及び受信者電子郵便ソフトウェアが、発信者端末及び発信者電子郵便ソフトウェアと、電子郵便サーバー及び電子郵便サーバーソフトウェアとの少なくとも一方と通信して、発信者及び受信者が使用するための及び通信システム自体のための仮想イントラネットを生成するのを容易化する受信者電子郵便ソフトウェアを更に含む請求項１の通信システム。
【請求項３】
発信者電子郵便ソフトウェア及び受信者電子郵便ソフトウェアの少なくとも一方が、発信者端末及び受信者端末位置に保存されたソフトウェアである請求項２の通信システム。
【請求項４】
発信者電子郵便ソフトウェア及び受信者電子郵便ソフトウェアの少なくとも一方が、電子郵便サーバー位置で発信者及び又は受信者に保存され且つ発信者及び又は受信者にアクセス可能である請求項２の通信システム。
【請求項５】
リンクが、多数の端末をインターネットと相互接続するネットワークを含み、電子郵便発信者、受信者、サーバーソフトウェアの少なくとも１つが、前記ネットワーク位置の発信者及び又は受信者に保存され且つ発信者及び又は受信者にアクセス可能である請求項２の通信システム。
【請求項６】
発信者電子郵便ソフトウェア及び電子郵便サーバーソフトウェアが、通信システムの使用料金を確認及び報告する支払いソフトウェアを含む請求項２の通信システム。
【請求項７】
発信者電子郵便ソフトウェア及び受信者電子郵便ソフトウェア及び電子郵便サーバーソフトウェアが、支払いソフトウェアが、受信者端末位置で電子メールが開封されることに対するインセンティブクレジットを報告する支払いソフトウェアを含む請求項６の通信システム。
【請求項８】
プレミアムメールサービスが、プレミアムサービスの選択可能なオプションを含み、支払いソフトウェアが、発信者電子郵便ソフトウェアが選択する、電子郵便サーバー及び電子郵便サーバーソフトウェアの１つ以上のプレミアムサービスのオプションに応じた追加料金の徴収を報告する請求項６の通信システム。
【請求項９】
インターネットと、発信者端末、受信者端末、電子郵便サーバーの何れかとの間を結ぶリンクが、遠距離通信リンクを含む請求項１の通信システム。
【請求項１０】
インターネットと、発信者端末、受信者端末、電子郵便サーバーの何れかとの間を結ぶリンクが、ＩＳＰ、イントラネット、エキストラネット、ＬＡＮ、ダイヤルアップ、ＤＳＬ、ケーブル、衛星、携帯電話、無線、物理的配送、及びそれらの組み合わせ、からなる群から選択したリンクを含む請求項１の通信システム。
【請求項１１】
電子郵便のためのプレミアムメールサービスが、発信者の許可、発信者端末を運用するエンティティの同一性の認証、受信者端末を運用するエンティティの同一性の確認、送受信メールの優先順位付け、テクニカルリスクに対するメールのスクリーニング、コンテンツリスクに対する電子メールのスクリーニング、電子メールが受信されたことを発信者に通知、電子メールが開封されたことを発信者に通知、電子郵便サーバーを介しての受信者による発信者への応答のためのプリペイド返信、電子メールのハードコピーの配送、受信者に対する、電子メールを開封するためのカスタム化されたインセンティブ、電子郵便サーバーのプロセス処理の検証可能な日付及び時間スタンプ、コンテンツの完全性の検証、通常メールからプレミアムメールを安全に保存、送受信されたプレミアムメールのアクセス可能な履歴、電子郵便サーバー位置での電子メールのホールディング（ｈｏｌｄｉｎｇ）の生成、プレミアム電子メールサービスに対する支払いと報告、及びそれらの組み合わせ、から成る群から選択される請求項１の通信システム。
【請求項１２】
優先順位付けが、通信システムによってプロセス処理される電子メールと、インターネット上で運ばれる従来の電子メールとの間での差別化である請求項１１の通信システム。
【請求項１３】
優先順位付けが、通信システムによってプロセス処理された電子メールの中での差別化を含む請求項１１の通信システム。
【請求項１４】
発信者端末及び受信者端末及びインターネットが、異なる組み合わせでのオペレーティングシステム及び電子メールアプリケーションソフトウェアを有し得、発信者電子郵便ソフトウェア及び受信者電子郵便ソフトウェアが、そうした異なる組み合わせのオペレーティングシステム及びインターネットソフトウェアを、電子郵便サーバー及び電子郵便サーバーソフトウェアを使用してインターフェースするようになっている請求項１の通信システム。
【請求項１５】
電子郵便サーバー及び電子郵便サーバーソフトウェアが、少なくとも１つの位置において複数のサーバーを含んでいる請求項１〜１４の何れかの通信システム。
【請求項１６】
ダイレクト通信が、転送セッション用のダイレクト通信接続を開設し、リンク上の安全性を確立し、発信者を確認し、メッセージコンテンツ及びメッセージデータを転送し、転送セッションを閉じるように、該ダイレクト通信に関連する端末及びサーバー上で動作する、発信者電子郵便、受信者電子郵便、及び郵便サーバーソフトウェア、を含む請求項１５の通信システム。
【請求項１７】
ダイレクト通信が、ＨＴＴＰ、ＳＭＴＰ又はその他のソケットプロトコルを使用する請求項１６の通信システム。
【請求項１８】
ＩＳＰのコンテンツメッセージを含むリンクが、電子郵便サーバー及び電子郵便サーバーソフトウェアをバイパスすることにより、発信者及び受信者のＩＳＰ間を転送され、データメッセージが、少なくとも部分的には、発信者端末及び発信者電子郵便ソフトウェアと、電子郵便サーバー及び電子郵便サーバーソフトウェアとの間のダイレクト通信、及び、受信者端末及び受信者電子郵便ソフトウェアと、電子郵便サーバー及び電子郵便サーバーソフトウェアとの間のダイレクト通信を使用して通信される請求項１７の通信システム。
【請求項１９】
メッセージコンテンツの通信が、インターネットのメールサーバーを介してＳＭＴＰ／ＰＯＰ及び又はＩＭＡＰプロトコルを使用し、メッセージデータ通信の少なくとも一部分が、ＨＴＴＰ、ＳＭＴＰ又はその他のソケットプロトコルを使用する請求項１８の通信システム。
【請求項２０】
メッセージデータが、アタッチメントとして、又は、送信者及び又は受信者を識別する部分を含むカスタムヘッダとしてフォーマットされる請求項１５の通信システム。
【請求項２１】
アタッチメント又はカスタムヘッダが、メッセージ成分を確認及び検証する部分と、メッセージ成分のプロセス処理を指定する部分とを更に含む請求項２０の通信システム。
【請求項２２】
ダイレクト通信が、ＨＴＴＰ、ＳＭＴＰ又はその他の、セッションＩＤを使用して発信者電子郵便ソフトウェア及び受信者電子郵便ソフトウェアとのＨＴＴＰのセッションをシミュレートするソケットプロトコル、暗号化の管理、別の転送プロトコル、転送されるメッセージ成分のためのカスタムデータ構造、を使用するリンク上での取引（ｃｕｓｔｏｍ）である請求項１５の通信システム。
【請求項２３】
支払いのための確認及び報告が、発信者電子郵便ソフトウェア及び受信者電子郵便ソフトウェアのセットアップファイルのダウンロード及びインストール、発信者電子郵便ソフトウェア及び受信者電子郵便ソフトウェアの、発信者端末及び受信者端末へのインストール、発信者アカウント及び受信者アカウントの登録、発信者アカウント及び受信者アカウント及びクレジット情報の検証、ｅレター又はダイレクト通信によるアクティベーション、を含む請求項６の通信システム。
【請求項２４】
メッセージコンテンツ成分と、当該メッセージ内容に関わる及び又は当該メッセージ内容を、インターネットを使用し且つ拡大させる多数の発信者端末及び受信者端末の間で転送することに関するメッセージデータ成分とを有する電子メールのための通信方法であって、
電子郵便サーバー及び電子郵便サーバーソフトウェアを提供すること、
発信者及び受信者の各端末をインターネット及び電子郵便サーバー及び電子郵便サーバーソフトウェアにリンクさせること、
発信者電子郵便ソフトウェアにして、
ｉ）発信者端末上で動作し、
ii）発信者端末上で動作する従来の電子メールアプリケーションソフトウェアと共に動作し、
iii）発信者端末から転送される電子メールを、該電子メールに通信システムのプレミアムサービスが提供されるように管理及びプロセス処理するための、発信者端末及び発信者電子郵便ソフトウェアによる電子郵便サーバー及び電子郵便サーバーソフトウェアへの選択的アクセスを提供し、
iv）電子メールに対するプレミアムサービスのプロセス処理を開始し、
ｖ）電子郵便サーバー及び電子郵便サーバーソフトウェアを使用して、転送する電子メールのメッセージデータ成分の少なくとも一部を処理する、発信者電子郵便ソフトウェアを提供すること、
を含む方法。
【請求項２５】
受信者電子郵便ソフトウェアにして、
ｉ）受信者端末上で動作し、
ii）発信者端末上で動作する従来の電子メールアプリケーションソフトウェアと共に動作し、
iii）発信者端末から転送され、電子郵便サーバー及び電子郵便サーバーソフトウェアにより管理及びプロセス処理され、インターネット及び受信者リンクを介して発信者端末及び発信者電子郵便ソフトウェアにより受けられる電子メールを、該電子メールに対して通信システムのプレミアムサービスが提供されるようにプロセス処理する、受信者電子郵便ソフトウェアを更に含む請求項２４の方法。
【請求項２６】
リンクが、電気通信によるものを含む請求項２５の方法。
【請求項２７】
リンクが、多数の発信者又は受信者の各端末をネットワーク電子郵便ソフトウェアを使用してネットワーク化するものを含む請求項２５の方法
【請求項２８】
発信者電子郵便ソフトウェア及び電子郵便サーバーソフトウェアのプロセス処理が、選択できる郵便サービスには、郵便のプレミアムメールサービスの少なくとも一部のための支払い及び報告の各サービスが含まれる請求項２５の方法。
【請求項２９】
支払い及び報告の各サービスが、受信者端末のユーザーに、受信者端末位置で電子メールを開封するためのインセンティブを報告するものである請求項２８の方法。
【請求項３０】
電子メールのメッセージデータの少なくとも一部分が、ダイレクト通信によって電子郵便サーバー及び電子郵便サーバーソフトウェアに通信され、また電子郵便サーバー及び電子郵便サーバーソフトウェアから通信される請求項２４〜２９の何れかの方法。
【請求項３１】
発信者端末、受信者端末、電子郵便サービス、の中でのダイレクト通信及びその他の通信が、仮想イントラネットを構成する請求項３０の方法。
【請求項３２】
電子郵便サーバー及び電子郵便サーバーソフトウェアが、少なくとも部分的にはダイレクト通信によって、内部通信を行う複数のサーバーに分配される請求項３０の方法。
【請求項３３】
ダイレクト通信が、ＨＴＴＰ、ＳＭＴＰ又はその他のソケットプロトコルを使用する請求項３０の方法。
【請求項３４】
メッセージ成分が、電子郵便サーバー及び電子郵便ソフトウェアをバイパスするＩＳＰを介して発信者及び受信者間で転送され、メッセージデータ成分が、少なくとも部分的には、発信者と、電子郵便サーバー及び電子郵便ソフトウェアとの間のダイレクト通信及び、受信者と、電子郵便サーバー及び電子郵便ソフトウェアとの間のダイレクト通信を使用して通信される請求項３３の方法。
【請求項３５】
メッセージコンテンツ成分の通信が、インターネットのメールサーバーを介してＳＭＴＰ／ＰＯＰ及び又はＩＭＡＰプロトコルを使用して通信され、少なくとも部分的なメッセージデー多成分の通信が、ＨＴＴＰ、ＳＭＴＰ又はその他のソケットプロトコルを使用する請求項３４の方法。
【請求項３６】
電子メールのメッセージデータの一部を、発信者端末及び又は受信者端末を識別するアタッチメント又はカスタムヘッダとしてフォーマットすることを更に含む請求項３０の方法。
【請求項３７】
アタッチメント又はカスタムヘッダとしてフォーマットすることが、メッセージ成分を確認及び顕彰し且つそのプロセス処理を指定する部分を提供させることを更に含む請求項３６の方法。
【請求項３８】
電子郵便サーバーへの及び電子郵便サーバーソフトウェアからのダイレクト通信が、ＨＴＴＰ、ＳＭＴＰ又はその他の、セッションＩＤを使用して発信者電子郵便ソフトウェア及び受信者電子郵便ソフトウェアとのＨＴＴＰのセッションをシミュレートするソケットプロトコル、暗号化の管理、別の転送プロトコル、転送されるメッセージ成分のためのカスタムデータ構造、を使用するリンク上での取引（ｃｕｓｔｏｍ）である請求項３０の方法。
【請求項３９】
支払いのための確認及び報告が、発信者及び受信者の各電子郵便ソフトウェアのセットアップファイルのダウンロード及びインストール、発信者及び受信者の各電子郵便ソフトウェアの、発信者及び受信者の各端末へのインストール、発信者及び受信者のアカウントの登録、発信者及び受信者のアカウント及びクレジットの検証、ｅレター又はダイレクト通信によるアクティベーション、を含む請求項２８の方法。